(57)【要約】【課題】  複数のブロックにおいて暖房状態を個別に温度制御していても、害虫駆除運転を一斉に行う。【解決手段】  ２つのブロックに対して温度を設定するための温度調節部６ａ，６ｂをそれぞれ設ける。一方の温度調節部６ｂは、害虫駆除運転用のダニモードスイッチ１２を兼用する。ダニモードスイッチ１２をオンすると、制御装置８は、他方のブロックに対して通常の運転中であっても、あるいは停止中であっても、強制的に所定温度になるように各ブロックの発熱体１ａ，１ｂに通電して、害虫駆除運転を行う。【選択図】  図２
2006038389.tif 000002
【特許請求の範囲】
【請求項１】
暖房面が複数のブロックに分割され、各ブロックに、発熱体がそれぞれ配され、前記ブロックごとに設定された温度に基づいて前記発熱体を個別に制御するとともに、害虫を駆除するための所定温度になるように前記発熱体を駆動する害虫駆除運転を行うコントローラが設けられ、該コントローラは、害虫駆除運転を開始するとき、各ブロックに対する設定温度を前記所定温度にして、各発熱体を制御することを特徴とする面状採暖具。
【請求項２】
前記コントローラは、害虫駆除運転を開始するとき、一部のブロックの運転がオフ状態であっても、強制的に害虫駆除運転させることを特徴とする請求項１記載の面状採暖具。
【請求項３】
前記コントローラに、ブロックごとに温度を設定するための温度調節部が複数設けられ、前記温度調節部の１つに、害虫駆除運転を行うためのスイッチが設けられたことを特徴とする請求項２記載の面状採暖具。
【発明の詳細な説明】
【技術分野】
【０００１】
本発明は、暖房面積を可変できる電気カーペット、床暖房パネル等の面状採暖具に関し、特にダニ等の害虫を駆除するための機能を備えた面状採暖具に関する。
【背景技術】
【０００２】
室内の床面に設置される面状採暖具では、その大きさが数畳にも及び、暖房面積が大きくなる。使用上、常に全面を暖房する必要はなく、省エネルギーの点から半分暖房といったように暖房面積を切り替えて、使用できるものが多い。
【０００３】
特許文献１に記載された面状採暖具では、カーペット面が２分割され、それぞれのブロックに発熱体が配されている。各発熱体に対して、通常使用時の温度を個別に設定して、設定された温度に基づき、各発熱体は個別に制御される。また、ダニ等の害虫を高温で駆除する機能も備えている。この害虫駆除運転では、カーペット面の温度が５０℃以上の害虫駆除温度になるように各発熱体が制御され、一定時間運転が行われる。なお、害虫駆除温度は、発熱体ごとに個別に設定可能とされ、各発熱体は個別に制御される。
【特許文献１】特開平５−１７２３５２号公報
【発明の開示】
【発明が解決しようとする課題】
【０００４】
特許文献１では、ブロックごとに害虫駆除運転を行うときの温度設定手段が設けられている。ブロック単位で害虫駆除運転を行ってもその効果はないので、通常、害虫駆除運転はカーペット全面に対して行う。そのため、それぞれの温度設定手段を操作しなければならず、操作が煩雑となり、使い勝手が悪い。
【０００５】
本発明は、上記に鑑み、複数のブロックにおいて個別に温度制御していても、害虫駆除運転を一斉に行える面状採暖具の提供を目的とする。
【課題を解決するための手段】
【０００６】
本発明は、暖房面が複数のブロックに分割され、各ブロックに、発熱体がそれぞれ配され、前記ブロックごとに設定された温度に基づいて前記発熱体を個別に制御するとともに、害虫を駆除するための所定温度になるように前記発熱体を駆動する害虫駆除運転を行うコントローラが設けられ、該コントローラは、害虫駆除運転を開始するとき、各ブロックに対する設定温度を前記所定温度にして、各発熱体を制御するものである。
【０００７】
害虫駆除運転時には、個別に温度制御されるブロックが、同じ設定温度で同時に制御される。すなわち、通常の運転よりも害虫駆除運転が優先して実行される。設定された温度で暖房状態にあるブロックであっても、強制的に所定温度になるように温度制御され、全ブロックにおいてダニ等の害虫が駆除される。
【０００８】
そこで、コントローラは、害虫駆除運転を開始するとき、一部のブロックの運転がオフ状態であっても、強制的に害虫駆除運転させる。これによって、すべてのブロックにおいて害虫駆除運転が行われることになり、一部のブロックだけが運転しないといった状況を避けられ、害虫駆除の効果が高まる。
【０００９】
コントローラに、ブロックごとに温度を設定するための温度調節部が複数設けられ、前記温度調節部の１つに、害虫駆除運転を行うためのスイッチが設けられる。害虫駆除運転用のスイッチを１回操作すれば、全ブロックに対して害虫駆除運転が行われ、操作が煩雑でなくなる。そのため、各ブロックに対応した温度調節部ごとにスイッチを設ける必要がなく、スイッチの個数を減らすことができる。
【発明の効果】
【００１０】
本発明によると、１つのスイッチを操作することにより、各ブロックに対して所定温度になるように発熱体が制御され、すべてのブロックにおいて一斉に害虫駆除運転が行われる。したがって、簡単な操作で害虫駆除運転を行うことができ、使い勝手がよくなる。
【発明を実施するための最良の形態】
【００１１】
本実施形態の面状採暖具である電気カーペットを図１に示す。電気カーペットは、表生地と裏生地との間に発熱体１ａ，１ｂが挟み込まれたカーペット２の角部にコントローラ４が装着されて構成される。折り畳み可能なカーペット２は、左右２つのブロック３ａ，３ｂに分割され、各ブロック３ａ、３ｂに発熱体１ａ，１ｂが配設される。各発熱体１ａ，１ｂは、コントローラ４に並列に接続され、コントローラ４によって個別に駆動制御される。
【００１２】
発熱体１ａ，１ｂは、図６に示すように、巻芯５０と、巻芯５０の周面に巻き付けられた発熱線５１と、発熱線５１の上から巻芯５０の周面を覆う内部被覆５２、内部被覆５２の周面に巻き付けられた感熱線５ａ，５ｂと、感熱線５ａ，５ｂの上から内部被覆５２の周面を覆う外部被覆５３とからなる。感熱線５ａ，５ｂもコントローラ４に接続されている。
【００１３】
コントローラ４は、図２、３に示すように、ブロック３ａ，３ｂごとの温度を設定する温度調節部６ａ，６ｂと、各ブロック３ａ，３ｂにおける温度に応じた表示を行う表示部７ａ，７ｂと、設定された温度に基づいて各発熱体１ａ，１ｂを制御するとともに表示部７ａ，７ｂを駆動制御する制御装置８と、電源スイッチ９と、電源ランプ１０とを備え、これらがケース１１に設けられている。また、ダニ等の害虫を駆除する害虫駆除運転を行うためのダニモードスイッチ１２を備えている。
【００１４】
温度調節部６ａ，６ｂは、それぞれスライドつまみ１３を有し、切状態から弱、中を経て強まで複数の段階で温度を切り替えることができる。温度調節部６ａ，６ｂは、左右のブロック３ａ，３ｂに対応して左右に並べられ、スライドつまみ１３の移動位置に合わせて設定温度の強弱のマークが印されている。一方のブロック３ｂに対応した温度調節部６ｂ、ここでは右側の温度調節部６ｂは、ダニモードスイッチ１２を兼用している。すなわち、スライドつまみ１３を一番右側にしたときに、ダニモードスイッチ１２がオンする。
【００１５】
表示部７ａ，７ｂは、２つの温度調節部６ａ，６ｂに対向するように２つ設けられ、ブロック３ａ，３ｂの配置と同じように左右に並べて配置される。表示部７ａ，７ｂは、異なる色を発光する２つのＬＥＤを備え、２色を組み合わせた色調の変化によって温度の変化を表現する。すなわち、赤色ＬＥＤと緑色ＬＥＤのそれぞれのオンオフの周期を変えることによって、異なる色調の表示を行うことができる。なお、表示部７ａ，７ｂの配置は、図４に示すように、温度調節部６ａ，６ｂの位置に合わせて左右に分離してもよい。
【００１６】
制御装置８は、温度調節部６ａ，６ｂからの入力に基づいて温度を設定する温度設定回路２０ａ，２０ｂと、発熱体１ａ，１ｂへの通電を制御する加熱駆動回路２１ａ，２１ｂと、ブロック３ａ，３ｂごとに設定された温度になるように発熱体１ａ，１ｂを駆動する制御回路２２とを有する。
【００１７】
温度設定回路２０ａ，２０ｂは、温度調節部６ａ，６ｂのスライドつまみ１３の位置に応じた設定信号を制御回路２２に出力する。加熱駆動回路２１ａ，２１ｂは、各発熱体１ａ，１ｂに対応して２つのリレーを有し、リレーのオンにより発熱体１ａ，１ｂに通電する。マイクロコンピュータからなる制御回路２２は、入力された設定信号に基づいてリレーをオンするとともに、感熱線５ａ，５ｂによって検知された温度信号に応じて設定された温度となるようにリレーのオンオフを行う。そして、設定された温度に応じた色調の表示となるように表示部７ａ，７ｂのＬＥＤを駆動する。
【００１８】
また、制御回路２２は、ダニモードスイッチ１２がオンされたことを検知すると、害虫駆除運転を行う。害虫駆除運転のとき、所定温度になるように各ブロック３ａ，３ｂの発熱体１ａ，１ｂに一定時間だけ通電が行われる。所定温度は、ダニ等の害虫を駆除できる温度とされ、ここでは強に設定される。さらに、ダニモードスイッチ１２がオンされると、制御回路２２は、左側のブロック３ａが切状態にあっても、あるいは通常の運転中であっても、強制的に所定温度での運転を開始する。そして、害虫駆除運転の実行を表示するために表示部７ａ，７ｂのＬＥＤを駆動する。
【００１９】
上記構成の電気カーペットにおいて、電源プラグをコンセントに差し込み、電源スイッチ９をオンすると、電源ランプ１０が点灯する。左右の温度調節部６ａ，６ｂによって各ブロック３ａ，３ｂの温度を設定すると、設定された温度になるように各発熱体１ａ，１ｂの通電が制御される。このとき、各表示部７ａ，７ｂが点灯され、設定された温度に応じた色調に表示される。
【００２０】
すなわち、図５に示すように、赤色ＬＥＤと緑色ＬＥＤのそれぞれのオン時間によって色調が変化する。例えば、設定温度が強の場合、赤色ＬＥＤにのみ通電され、緑色ＬＥＤは発光せず、赤色の表示となる。設定温度が強から徐々に下がるにつれて、赤色ＬＥＤのオン時間が短くなり、緑色ＬＥＤのオン時間が長くなる。設定温度が中の場合、赤色ＬＥＤのオン時間は６／１０とされ、緑色ＬＥＤのオン時間は４／１０とされ、色調はオレンジ色となる。設定温度が弱の場合、赤色ＬＥＤのオン時間は２／１０とされ、緑色ＬＥＤのオン時間は８／１０とされ、色調は黄色となる。温度調節部６ａ，６ｂが切状態の場合、両ＬＥＤは点灯しない。
【００２１】
このように設定温度に応じた色調でブロック３ａ，３ｂごとに表示されることにより、各ブロック３ａ，３ｂがどのような温度に設定されているのか離れた場所からでも容易に認識できる。特に、コントローラ４は、テーブルやカバーに隠されることはないので、常に外部に露出しており、確実に表示部７ａ，７ｂを視認でき、各ブロック３ａ，３ｂの暖房状態を知ることができる。
【００２２】
また、温度調節部６ａ，６ｂによって設定した温度が、第３者の操作等による何らかの原因によって変更されても、表示部７ａ，７ｂの色調が変化していることから容易に気付くことができる。そのため、所望の暖房とは異なる暖房になっていることに気付かずに使用したときの不快感をなくすことができ、使用勝手が向上する。
【００２３】
次に、害虫駆除運転を行う場合、カーペット２を２つ折りあるいは４つ折りに畳んで、表面が重なるようにする。電源スイッチ９がオンのとき、ダニモードスイッチ１２をオンする。すると、各ブロック３ａ，３ｂに対する設定温度が自動的に所定温度、すなわち強に設定される。そして、各発熱体１ａ，１ｂに通電が開始され、制御回路２２のタイマが計時を始める。このとき、緑色ＬＥＤにのみ通電され、赤色ＬＥＤは発光せず、各表示部７ａ，７ｂは緑色の表示となる。
【００２４】
各発熱体１ａ，１ｂは所定温度になるように制御され、カーペット２の表面はほぼ１００％ダニを死滅させることができる５０℃以上となる。一定時間、すなわち２時間経過すると、各発熱体１ａ，１ｂへの通電が停止され、害虫駆除運転が終了する。なお、５０℃以上かつ１時間以上の加熱条件は、ダニを死滅させるための公知の条件である。
【００２５】
害虫駆除運転が終了すると、各表示部７ａ，７ｂは消灯され、電源ランプ１０が点滅して、終了を報知する。電源スイッチ９をオフすると、電源ランプ１０は消灯する。
【００２６】
ところで、制御回路２２は、電源スイッチ９がオンしたときから所定時間経過したときに自動的に電源をオフするオートオフ機能を有する。例えば、６時間経過したときに運転中であっても、電源がオフして、運転が停止される。しかし、害虫駆除運転中においては、このオートオフ機能が動作しないように制御される。６時間経過した時点で、害虫駆除運転中であれば、そのまま運転は続行される。その後、害虫駆除運転が終了あるいは解除されると、電源オフとなる。
【００２７】
このように、通常の運転時にはブロック３ａ，３ｂごとに設定された温度で個別に制御するが、ダニモードスイッチ１２をオンすることにより、通常の運転を無視して、全ブロック３ａ，３ｂに対して強制的に害虫駆除運転が実行される。したがって、各ブロック３ａ，３ｂに対して温度調節部６ａ，６ｂを害虫駆除運転用に操作する必要がなくなり、操作性がよくなる。
【００２８】
なお、本発明は、上記実施形態に限定されるものではなく、本発明の範囲内で上記実施形態に多くの修正および変更を加え得ることは勿論である。カーペットの分割は、３以上であってもよく、分割されたブロック数と同じだけ表示部を設ける。そして、表示部の配置は、ブロックの配置と同じようにする。例えば、一直線上に並べたり、碁盤の目のように並べることにより、一目で各ブロックの暖房状態がわかるようにする。表示部をドーム状に形成して、コントローラの上面から盛り上がるようにすれば、離れた位置からより確実に確認できる。
【００２９】
設定された温度に応じた表示の代わりに、感熱線によって検知された温度に応じた表示としてもよい。ところで、暖房を開始したとき、設定された温度と実際の温度には差がある。そこで、加熱中であることを報知するために、設定温度に応じた色調で点滅させてもよく、現在の正確な暖房状態を表示できる。また、温度調節部に印された設定温度の強弱のマークを色調に合わせて色分けしておくと、表示部における表示との対応関係を明確にできる。さらに、表示に限らず、音声で暖房状態を報知してもよい。
【００３０】
ダニモードスイッチを各温度調節部にそれぞれ設けてもよい。いずれか１つのダニモードスイッチをオンすれば、害虫駆除運転が行われる。
【図面の簡単な説明】
【００３１】
【図１】本発明の電気カーペットの平面図
【図２】コントローラのブロック図
【図３】コントローラにおける表示部を示す平面図
【図４】他の形態のコントローラにおける表示部を示す平面図
【図５】設定温度に対する２色のＬＥＤのオン時間を示す図
【図６】電気カーペットを構成する一線式発熱体の構造を示す図
【符号の説明】
【００３２】
１ａ，１ｂ    発熱体
２    カーペット
３ａ，３ｂ    ブロック
４    コントローラ
５ａ，５ｂ    感熱線
６ａ，６ｂ    温度調節部
７ａ，７ｂ    表示部
８    制御装置
１２    ダニモードスイッチ
１３    スライドつまみ
２０ａ，２０ｂ  温度設定回路
２１ａ，２１ｂ  加熱駆動回路
２２    制御回路
５０    巻芯
５１    発熱線
５２    内部被覆
５３    外部被覆
【図１】
2006038389.tif 000003
【図２】
2006038389.tif 000004
【図３】
2006038389.tif 000005
【図４】
2006038389.tif 000006
【図５】
2006038389.tif 000007
【図６】
2006038389.tif 000008